(57)【要約】      （修正有）【課題】デッキ等の高さのずれを解消し、安全にかつ簡単に展開することができる結合構造付デッキを提供する。【解決手段】重量物を載せる木製天板と、前記木製天板の底面に固定した骨組みを持つフレームと、前記フレームの外周を構成する結合構造部材と、前記結合構造部材の側面全面にわたって中央に形成された半円柱の凹部からなる前記結合構造部材の凹部２ｂと、他の結合構造部材の凹部に結合が可能であって、前記結合構造部材の凹部に丸棒をボルトで固定した前記結合構造部材の凸部２ａと、一体化した前記木製天板と前記フレームを複数台数結合するために、前記木製天板の側面に、回転軸３ｃの先端に掛け金３ａを備え、前記側面に収納可能なロック凸部と、他のロック凸部の掛け金と連結可能な掛け金受け４ａを備えたロック凹部と、からなる。【選択図】図１１
0003182287.tif 000002
【実用新案登録請求の範囲】
【請求項１】
重量物を載せる木製天板と、前記木製天板の底面に取り付けられているフレームと、
前記フレームの外周を構成する結合構造部材と、前記結合構造部材の側面全面にわた
って中央に形成された半円柱の凹部からなる前記結合構造部材の凹部（２ｂ）と、前
記結合構造部材の凹部に丸棒をボルトで固定した前記結合構造部材の凸部（２ａ）と、
前記木製天板と前記フレームをロックする、回転軸（３ｃ）により回し入れられた掛
け金（３ａ）がロック凹部（４）に入り、掛け金受け（４ａ）でヌケ防止される機能
を持ったロックと、からなることを特徴とする結合構造付デッキ。
【請求項２】
前記フレームと、前記結合構造部材と、前記結合構造部材の凹部と、前記結合構造
部材の凸部の一部となる前記丸棒が、いずれも金属製であることを特徴とする、請求
項１記載の結合構造付デッキ。
【請求項３】
前記結合構造部材内部は空洞であり、前記結合構造部材の内部後ろ側面上下の角か
ら前記結合構造部材の凹部内側中心に向かって、長手方向の面に沿って伸びる補強骨
となる歯軸材が２枚（２ｃ）（２ｄ）走っている。前記補強骨が設けられていること
を特徴とする、請求項１または２に記載の結合構造付デッキ。
【考案の詳細な説明】
【技術分野】
【０００１】
本考案は、デッキにおいて高さのずれを解消する結合構造付デッキに関するものである。
【背景技術】
【０００２】
劇場やスタジオ、イベント会場などの施設において、床面の保護・大道具等を飾るために、通常平台を使用する。額縁状に組まれた木製枠体の表に板を固定した平台は、木製であるため、摩耗、破損等による消耗がある。近年、より耐久性を持たせようと金属製枠体の上に木製天板を固定した金属製の平台、金属製デッキが作られた。消耗部分は上に固定した板のみとなり、用途による強度・耐久性・多様性・効率化等の要求に応え、金属製デッキを使用する事が多くなりつつある。
【先行技術文献】
【特許文献】
【０００３】
【特許文献１】特表２０１１−５０２２２１号公報
【考案の概要】
【考案が解決しようとする課題】
【０００４】
しかしながら、複数枚並べた際に起こる若干の高さのずれは許されない現場が多く、結合関係が弱いことで起こる微妙なずれを生じていた。
【０００５】
本考案は、以上の課題を解消しようとするもので、デッキ等の高さのずれを解消し、安全にかつ簡単に展開することができる結合構造付デッキを提供することを目的とするものである。
【課題を解決するための手段】
【０００６】
本考案は、重量物を載せる木製天板と、木製天板の底面に取り付けられているフレームと、フレームの外周を構成する結合構造部材と、結合構造部材の側面全面にわたって中央に形成された半円柱の凹部からなる結合構造部材の凹部と、結合構造部材の凹部に丸棒をボルトで固定した結合構造部材の凸部と、木製天板とフレームをロックする、回転軸により回し入れられた掛け金がロック凹部に入り、掛け金受けでヌケ防止される機能を持ったロックと、からなることで課題を解決した。
【考案の効果】
【０００７】
本考案に係るずれが解消された結合構造付デッキは、側面に凹凸を作るという簡単な構成を採用したため、ずれをなくすことができる。
【図面の簡単な説明】
【０００８】
【図１】本考案に係る結合構造付デッキの構成を示す斜視図である。
【図２】本考案に係る結合構造付デッキの平面図である。
【図３】本考案に係る結合構造付デッキの底面図である。
【図４】本考案に係る結合構造付デッキの側面図である。
【図５】本考案に係る丸棒の斜視図である。
【図６】本考案に係るボルトの側面図である。
【図７】本考案に係る丸棒を側面に配置した、結合構造付デッキの結合構成を示す斜視図である。
【図８】本考案に係る丸棒を側面に固定した、結合構造付製デッキの結合手段の構成を示す斜視図である。
【図９】本考案に係る結合構造付デッキの結合状態の一例を示す斜視図である。
【図１０】本考案に係る結合構造付デッキの結合手段の断面図Ａ−Ａである。
【図１１】本考案に係る結合構造付デッキの結合手段の断面図Ｂ−Ｂである。
【図１２】本考案に係る結合構造付デッキの結合状態の断面図Ｃ−Ｃである。
【考案を実施するための形態】
【０００９】
図１は本考案に係る結合構造付デッキＤの構成を示す斜視図である。図１の（ａ）に示すように一番上部には木製天板１があり、次に（ｂ）に示すように、四隅に金属骨５を配置し、その間に結合構造部材２の側面全面にわたって中央に形成された半円柱の凹部からなる結合構造部材２の凹部２ｂ、内部に補強骨２ｃ（図１０に示す）、補強骨２ｄ（図１０に示す）を含み構成されている結合構造部材２を入れ、両端部を溶接することで枠体を構成し、更に、枠体の内側に金属骨６を入れ、金属骨６の端部と枠体の内側とを溶接することで構成したフレームＦがある。次に（ｃ）に示すように、フレームＦの上に木製天板１を置き、木製天板１の底面と、結合構造部材２の上面、ないし金属骨５の上面、金属骨６の上面を合わせ、その枠体に沿った端と中央に、木製天板１の上面より天板ボルト８を打ち込んで結合（図１０に示す）されている。打ち込むのはビスでも良い。ロック穴３ｂは、最終結合するロックをしめるためのロック穴である。ロック穴の形は、六角でもプラスでもマイナスでも作ることができる。また、ロック凸部３、ロック凹部４の底面は、結合構造部材２の上部と溶接され、更に木製天板１の側面にはめ込まれ、４方向全てにはめ込まれている。
【００１０】
図２は本考案に係る結合構造付デッキＤの平面図である。図１に示した四隅に金属骨５を配置し、その間に結合構造部材２の側面全面にわたって中央に形成された半円柱の凹部からなる結合構造部材２の凹部２ｂ、内部に補強骨２ｃ（図１０に示す）、補強骨２ｄ（図１０に示す）を含み構成されている結合構造部材２を入れ、両端部を溶接することで枠体を構成する。更に、枠体の内側に金属骨６を入れ、金属骨６の端部と枠体の内側とを溶接することで構成したフレームＦ全体の上に木製天板１を置き、図２に示すように、その枠体に沿った端と中央に木製天板１の上面より天板ボルト８を打ち込んで結合（図１０に示す）されている。打ち込むのはビスでも良い。ロック穴３ｂは、最終結合するロックをしめるためのロック穴である。ロック穴の形は、六角でもプラスでもマイナスでも作ることができる。
【００１１】
図３は本考案に係る結合構造付デッキＤの底面図である。図３に示すように、四隅に金属骨５を配置し、その間に結合構造部材２の側面全面にわたって中央に形成された半円柱の凹部からなる結合構造部材２の凹部２ｂ（図１０に示す）、内部に補強骨２ｃ（図１０に示す）、補強骨２ｄ（図１０に示す）を含み構成されている結合構造部材２を入れ、両端部を溶接することで枠体を構成する。更に、枠体の内側に金属骨６を入れ、金属骨６の端部と枠体の内側とを溶接することで構成したフレームＦに、木製天板１が天板ボルト８（図１に示す）によって結合されている。
【００１２】
図４は本考案に係る結合構造付デッキＤの側面図である。図１に示した四隅に金属骨５を配置し、その間に結合構造部材２の側面全面にわたって中央に形成された半円柱の凹部からなる結合構造部材２の凹部２ｂ、内部に補強骨２ｃ（図１０に示す）、補強骨２ｄ（図１０に示す）を含み構成されている結合構造部材２を入れ、両端部を溶接することで枠体を構成する。更に、枠体の内側に金属骨６を入れ、金属骨６の端部と枠体の内側とを溶接することで構成したフレームＦ全体の上に、図４に示すように、木製天板１を置き、木製天板１の底面と、結合構造部材２の上面、ないし金属骨５の上面、金属骨６（図１に示す）の上面を合わせ、その枠体に沿った端と中央に、木製天板１の上面より天板ボルト８を打ち込んで結合（図１０に示す）されている。打ち込むのはビスでも良い。レンチ穴３ｂは、最終結合するロックをしめるためのロック穴である。ロック穴の形は、六角でもプラスでもマイナスでも作ることができる。また、ロック凸部３、ロック凹部４の底面は、結合構造部材２の上部と溶接され、更に木製天板１の側面にはめ込まれ、４方向全てにはめ込まれている。
【００１３】
図５は本考案に係る丸棒７の斜視図である。丸棒７は、結合構造部材２の凸部２ａ（図１０に示す）の一部となる部材である。図５に示すように、ボルト穴７ａは、丸棒７と結合構造部材２の凹部２ｂ（図１０に示す）が結合するために、丸棒ボルト９（図１０に示す）を挿入するための穴である。
【００１４】
図６は本考案に係る天板ボルト８（図１に示す）と丸棒ボルト９の（図１に示す）側面図である。図６に示すように、天板ボルト８は、木製天板１とフレームＦを結合するための部材である。丸棒ボルト９は、結合構造部材２の凹部２ｂ（図１０に示す）と丸棒７（図１０に示す）を結合するための部材である。また、ボルト穴は、六角でもプラスでもマイナスでも作ることができる。
【００１５】
図７は本考案に係る結合構造付デッキＤを２台配置し、その間に丸棒７を配置した結合構造付デッキＤの結合構成を示す斜視図である。図７に示すように、丸棒７は、結合構造部材２の側面全面にわたって中央に形成された半円柱の凹部２ｂからなる結合構造部材２の側面に配置されている。
【００１６】
図８は本考案に係る結合構造付デッキＤの結合手段の構成を示す斜視図である。図８に示すように、ボルト９をボルト穴７ａ（図５に示す）より丸棒７に貫通し、フレームＦ（図１に示す）の一部である結合構造部材２の側面全面にわたって中央に形成された半円柱の凹部２ｂに結合すると、ここで初めて結合構造部材２の凹部２ｂは、結合構造部材２の凸部２ａに変化する。
【００１７】
図９は本考案に係る結合構造付デッキＤの結合状態の一例を示す斜視図である。図９に示すように２台は結合されている。結合構造部材２の凸部２ａ（図１０に示す）と、丸棒７（図１０に示す）をつけていないもう１台のデッキの結合構造部材２の凹部２ｂ（図１０に示す）を合わせ、ロック凸部３（図１２に示す）より、掛け金３ａ（図１２に示す）を、ロック凹部４（図１２に示す）内のヌケ防止の掛け金受け４ａ（図１２に示す）に向かってロック穴３ｂ（図１２に示す）より回し入れ、木製天板１と木製天板１、フレームＦとフレームＦはロックにより嵌合し、ずれがなくなる。加重がかかった時にもずれが生じない。
【００１８】
図１０は本考案に係る結合構造付デッキの結合手段の断面図Ａ−Ａである。図１０に示すように、木製天板１と結合構造部材２の断面図である。木製天板１の上面より結合構造部材２の上面に向かって天板ボルト８を打ち込んで結合されている。結合構造部材２の内部には、内部後ろ側面上下の角から結合構造部材２の凹部内側中心に向かって、長手方向の面に沿って伸びる補強骨２ｃ、２ｄからなる歯軸材が２枚走っている。また、結合構造部材２の凹部２ｂと、片方はボルト９をボルト穴７ａ（図５に示す）より丸棒７に貫通し、フレームＦ（図１に示す）である結合構造部材２の側面全面にわたって中央に形成された半円柱の結合構造部材２の凹部２ｂに結合すると、ここで初めて結合構造部材２の凹部２ｂは、結合構造部材２の凸部２ａに変化する。この凹凸部は円柱であるが、正円に限らず楕円でも角柱でも作ることができる。
【００１９】
図１１は本考案に係る結合構造付デッキの結合手段の断面図Ｂ−Ｂである。図１１に示すように、ロック凸部３、ロック凹部４の底面は、結合構造部材２の上部と溶接され、更に木製天板１の側面にはめこまれている。そして、ロック凸部３内の掛け金３ａは回転軸３ｃを軸にして収納されている。
【００２０】
図１２は本考案に係る結合構造付デッキの結合状態の断面図Ｃ−Ｃである。図１２に示すように、回転軸３ｃの上部にあるロック穴３ｂよりロック凸部３内の掛け金３ａはロック凹部４内のヌケ防止の掛け金受け４ａに向かって回転軸３ｃを軸にして回し入れられ、掛け金３ａはロック凹部４内に入り、結合構造部材２の凹部２ｂと結合構造部材２の凸部２ａは嵌合し、木製天板１と木製天板１、フレームＦとフレームＦはロックにより嵌合し、ずれがなくなる。加重がかかった時にずれが生じない。また、ロックをしめるロック穴は、六角でもプラスでもマイナスでも作る事ができる。
【００２１】
デッキを敷き詰める場合、その用途により中央より始める場合と、角から始める場合があるが、スタジオ等建物の床全面に早く敷き詰めるのであれば、壁の角に１台置き、壁に当たらない２辺の結合構造部材２の凹部２ｂに丸棒７を取り付け結合構造部材２の凸部２ａとし、それぞれに新しいデッキを合わせロックする。次々と空いている辺に丸棒７を取り付け、新しいデッキを合わせていく。撤去方法は、その逆である。また、収納については、側面が平らであるので、無駄なスペースを作ることなく効率的に収納することができる。また、金属骨５内に金属脚を入れる事で高さを変える事ができるので、平らでない床等の高低差にも対応し、更に、組み合せる事で二階建て等立体的に使う事もできる。
【産業上の利用可能性】
【００２２】
劇場やスタジオ、イベント会場などの施設において、床面の保護・大道具等を飾るために、通常平台を使用する。額縁状に組まれた木製枠体の表に板を固定した平台は、木製であるため、摩耗、破損等による消耗がある。近年、より耐久性を持たせようと金属製枠体の表に木製天板を固定した金属製の平台、金属製デッキが作られた。消耗部分は表に固定した板のみとなり、用途による強度・耐久性・多様性・効率化等の要求に応え、室内のみならず、屋外の仮設ステージ、工事現場等にも利用の可能性がある。
【符号の説明】
【００２３】
１      木製天板
２      結合構造部材
２ａ    凸部
２ｂ    凹部
２ｃ    補強骨
２ｄ    補強骨
３      ロック凸部
３ａ    掛け金
３ｂ    ロック穴
３ｃ    回転軸
４      ロック凹部
４ａ    掛け金受け
５      金属骨
６      金属骨
７      丸棒
７ａ    ボルト穴
８      天板ボルト
９      丸棒ボルト
Ａ−Ａ  断面図
Ｂ−Ｂ  断面図
Ｃ−Ｃ  断面図
Ｄ      デッキ
Ｆ      フレーム
【図１】
0003182287.tif 000003
【図２】
0003182287.tif 000004
【図３】
0003182287.tif 000005
【図４】
0003182287.tif 000006
【図５】
0003182287.tif 000007
【図６】
0003182287.tif 000008
【図７】
0003182287.tif 000009
【図８】
0003182287.tif 000010
【図９】
0003182287.tif 000011
【図１０】
0003182287.tif 000012
【図１１】
0003182287.tif 000013
【図１２】
0003182287.tif 000014
【手続補正書】
【提出日】平成24年12月19日(2012.12.19)
【手続補正１】
【補正対象書類名】実用新案登録請求の範囲
【補正対象項目名】請求項１
【補正方法】変更
【補正の内容】
【請求項１】
重量物を載せる木製天板と、前記木製天板の底面に固定した骨組みを持つフレームと、前記フレームの外周を構成する結合構造部材と、前記結合構造部材の側面全面にわたって中央に形成された半円柱の凹部からなる前記結合構造部材の凹部（２ｂ）と、他の結合構造部材の凹部に結合が可能であって、前記結合構造部材の凹部に丸棒をボルトで固定した前記結合構造部材の凸部（２ａ）と、一体化した前記木製天板と前記フレームを複数台数結合するために、前記木製天板の側面に、回転軸（３ｃ）の先端に掛け金（３ａ）を備え、前記側面に収納可能なロック凸部と、他のロック凸部の掛け金と連結可能な掛け金受け（４ａ）を備えたロック凹部と、からなることを特徴とする結合構造付デッキ。